(57)【要約】【課題】地上アナログ放送停波後に地上アナログ放送選局状態に陥ることを防ぐだけでなく、地上アナログ用の操作キーに別機能を持たせることで有効に操作キー活用が可能なテレビジョン放送受信装置を提供する。【解決手段】リモコンを用いて地上アナログ放送及び地上デジタル放送を選局可能なテレビジョン放送受信装置であって、地上アナログ放送の受信状態を電界強度により判定し、判定結果を電界強度情報として出力する電界強度検出手段と、地上デジタル放送の日時情報を取得する日時情報取得手段と、電界強度情報及び日時情報により地上アナログ放送停波の判定を行う地上アナログ放送停波判定手段と、地上アナログ放送停波判定手段の判定結果に基づいて、リモコンの地上アナログ放送選局キーのキーコードを変更するキーコード切替手段とを具備する。【選択図】図１
2008301380.tif 000002
【特許請求の範囲】
【請求項１】
リモコンを用いて地上アナログ放送及び地上デジタル放送を選局可能なテレビジョン放送受信装置であって、
前記地上アナログ放送の受信状態を電界強度により判定し、判定結果を電界強度情報として出力する電界強度検出手段と、
前記地上デジタル放送の日時情報を取得する日時情報取得手段と、
前記電界強度情報及び前記日時情報により地上アナログ放送停波の判定を行う地上アナログ放送停波判定手段と、
前記地上アナログ放送停波判定手段の判定結果に基づいて、前記リモコンの地上アナログ放送選局キーのキーコードを変更するキーコード切替手段とを具備することを特徴とするテレビジョン放送受信装置。
【請求項２】
前記キーコード切替手段は、前記地上アナログ放送選局キーを地上デジタル放送選局キーのキーコードに変更することを特徴とする請求項１記載のテレビジョン放送受信装置。
【請求項３】
前記キーコード切替手段は、前記地上アナログ放送選局キーを地上デジタル放送のサブ番組の選局キーのキーコードに変更することを特徴とする請求項１記載のテレビジョン放送受信装置。
【請求項４】
前記キーコード切替手段は、前記地上アナログ放送選局キーをＣＳ放送選局キーのキーコードに変更することを特徴とする請求項１記載のテレビジョン放送受信装置。
【請求項５】
前記キーコード切替手段は、前記地上アナログ放送選局キーを字幕表示のキーコードに変更することを特徴とする請求項１記載のテレビジョン放送受信装置。
【発明の詳細な説明】
【技術分野】
【０００１】
本発明は、テレビジョン受信機、セットトップボックスなど地上アナログ放送と地上デジタル放送を受信する装置に関するものである。
【背景技術】
【０００２】
２００３年から地上デジタル放送が始まり、２０１１年には地上アナログ放送が終了する。この期間において地上デジタル／地上アナログ放送が両立することになり選局方法も異なっている。この場合、地上アナログ放送停波後に地上アナログ放送を選局した場合、未選局状態に陥ってしまうという問題があった。
【０００３】
そこで上記問題を解決するために、自動的に地上デジタル放送に放送チャンネルを切り替えるテレビジョン放送受信装置が公知である（例えば、特許文献１参照）。このテレビジョン放送受信装置では、地上アナログ放送停波後に地上アナログ放送を選局した場合、地上アナログ放送と同一番組のサイマル放送を行なっている地上デジタル放送チャンネルに自動的に移行する機能を実現している。
【特許文献１】特開２００４−３２０４４９号公報
【発明の開示】
【発明が解決しようとする課題】
【０００４】
しかしながら、上記特許文献１のテレビジョン放送受信装置では、地上デジタル／地上アナログ放送に対応した操作キーを選択することによって放送チャンネルの切り替えを実現している。そのため、サイマル放送の有無で地上アナログ放送から地上デジタル放送に切り替えた場合、地上アナログ放送用の操作キーが使われることがなくなり無駄になってしまうという問題があった。
【０００５】
本発明は、上記事情に鑑みてなされたもので、停波判定部に地上アナログ放送の電界強度と地上アナログ放送停波予定日時を使用してデコード出来ない状態を認識させ、キーコード切替部で操作キーに割り当てられている機能を切り替えることにより地上アナログ放送用の操作キーに別機能を付け加えることが可能なテレビジョン放送受信装置を提供することを目的とする。
【課題を解決するための手段】
【０００６】
本発明の請求項１に係るテレビジョン放送受信装置は、リモコンを用いて地上アナログ放送及び地上デジタル放送を選局可能なテレビジョン放送受信装置であって、地上アナログ放送の受信状態を電界強度により判定し、判定結果を電界強度情報として出力する電界強度検出手段と、地上デジタル放送の日時情報を取得する日時情報取得手段と、電界強度情報及び日時情報により地上アナログ放送停波の判定を行う地上アナログ放送停波判定手段と、地上アナログ放送停波判定手段の判定結果に基づいて、リモコンの地上アナログ放送選局キーのキーコードを変更するキーコード切替手段とを具備することを特徴とする。
【０００７】
また、本発明の請求項２に係るテレビジョン放送受信装置は、請求項１の構成において、キーコード切替手段は、地上アナログ放送選局キーを地上デジタル放送選局キーのキーコードに変更することを特徴とする。
【０００８】
また、本発明の請求項３に係るテレビジョン放送受信装置は、請求項１の構成において、キーコード切替手段は、地上アナログ放送選局キーを地上デジタル放送のサブ番組の選局キーのキーコードに変更することを特徴とする。
【０００９】
また、本発明の請求項４に係るテレビジョン放送受信装置は、請求項１の構成において、キーコード切替手段は、地上アナログ放送選局キーをＣＳ放送選局キーのキーコードに変更することを特徴とする。
【００１０】
また、本発明の請求項５に係るテレビジョン放送受信装置は、請求項１の構成において、キーコード切替手段は、地上アナログ放送選局キーを字幕表示のキーコードに変更することを特徴とする。
【発明の効果】
【００１１】
本発明によれば、地上アナログ放送停波後に地上アナログ放送選局状態に陥ることを防ぐだけでなく、地上アナログ用の操作キーに別機能を持たせることで有効に操作キー活用ができる。例えば、地上アナログ用の操作キーを地上デジタル選局キーに割り当てることで未選局を回避でき、あるいは地上デジタル放送のサブ番組用に割り当てることで新しい操作キーとして使用することが可能となる。
【発明を実施するための最良の形態】
【００１２】
以下では、当該発明にかかる実施するための最良の形態について、図面を参照しつつ説明を行う。
【００１３】
（実施の形態１）
図１は、本発明の実施の形態１に係るテレビジョン放送受信装置の構成を示すブロック図である。テレビジョン放送受信装置１では、地上デジタル放送受信部２、地上デジタルアンテナ入力部３、受信部４、復調部５、デコーダ６、地上アナログ放送受信部７、地上アナログアンテナ入力部８、受信部９、復調部１０、リモコン１１、電解強度検出部１２、制御部１３、停波判定部１４、キーコード切替部１５、切替部１６、表示部１７、ＲＡＭ１８、システムソフト格納部１９、入力部２０、ＰＯＲＴ２１から構成される。
【００１４】
図２は、本発明の実施の形態１に係るテレビジョン放送受信装置１におけるリモコン１１を示した概要図である。リモコン１１は、電源ＯＮ／ＯＦＦボタン５１、テレビジョン操作ボタン群５２、選局割り当てボタン５３、選局ＵＰ／ＤＯＷＮボタン５４、音量ＵＰ／ＤＯＷＮボタン５５、地上アナログ放送サービス切替ボタン５６、地上デジタル放送サービス切替ボタン５７、ＢＳデジタル放送サービス切替ボタン５８、ＣＳ１／２放送サービス切替ボタン５９から構成される。
【００１５】
地上デジタル放送受信部２は、受信部４、復調部５、デコーダ６から構成される。受信部４は地上デジタルアンテナ入力部３から受信したデジタルテレビジョン放送を入力し、リモコン１１を用いてユーザーが地上デジタル放送サービス切替ボタン５７で地上デジタル放送を選局し、選局割り当てボタン５３で所望する伝送チャンネルの変調されているテレビジョン放送信号が後述する制御部１３の制御により選択される。
【００１６】
復調部５は、受信部４が出力する変調されている信号を入力し、復調してＭＰＥＧ−２トランスポートストリームを出力する。デジタルテレビジョン放送においては、ＭＰＥＧ−２トランスポートストリームを変調して放送することは周知である。
【００１７】
デコーダ６は、復調部５の出力するＭＰＥＧ−２トランスポートストリームを入力し、ユーザーが所望する番組の映像・音声のストリームを抽出し、復号を行った後、映像信号と音声信号を出力する。また、デコーダ６は、ＴＯＴ（Ｔｉｍｅ  Ｏｆｆｓｅｔ  Ｔａｂｌｅ）  やＴＤＴ（Ｔｉｍｅ  Ｄａｔａ  Ｔａｂｌｅ）といった現在の日付・時刻・サマータイムの情報をＭＰＥＧ−２トランスポートストリームから抜き出し、抜き出した日時情報を後述する制御部１３に出力する。
【００１８】
地上アナログ放送受信部７は、受信部９、復調部１０から構成される。受信部９は、地上アナログアンテナ入力部８から受信したアナログテレビジョン放送を入力し、リモコン１１を用いてユーザーが地上アナログ放送サービス切替ボタン５６で地上アナログ放送を選局し、選局割り当てボタン５３で所望する伝送チャンネルの変調されているテレビジョン放送信号が後述する制御部１３の制御により選択される。
【００１９】
復調部１０は、受信部９が出力する変調されている信号を入力し、復調して映像信号と音声信号を出力する。
【００２０】
電解強度検出部１２は、復調部１０で検波するレベルを入力し、所定のレベルと比較する。そして電界強度が所定のレベルよりも高いか低いかの結果を、電解強度情報として後述する制御部１３に出力する。
【００２１】
制御部１３は、テレビジョン放送受信装置１の各構成要素を制御するマイクロコンピューターであり、停波判定部１４とキーコード切替部１５の機能を保有している。停波判定部１４は、電界強度検出部１２からの電界強度情報と復調部５からの日時情報を入力し、地上アナログ放送停波の判定を行い、後述する図２の地上アナログ放送サービス切替ボタン５６の機能変更信号を出力する。
【００２２】
キーコード切替部１５は、停波判定部１４からの機能変更信号を入力し、図２に示す機能変更例１〜４のように地上アナログ放送サービス切替ボタン５６がユーザーによって選択された場合に、地上アナログ放送サービス切替機能とは別の機能が選択されたようにテレビジョン受信装置１が動作するようにキーコードを変更する。
【００２３】
機能変更例１では、地上アナログ放送サービス切替ボタン５６に地上デジタル放送サービス切替ボタン５７と同等のボタンとなるようにキーコードを変更し、地上デジタルサービス切替ボタン５６ａとしてもよい。
【００２４】
また、デジタル放送においては１つの放送局が複数の番組を一度に送信していることは周知の事実であるため、機能変更例２のように地上アナログ放送サービス切替ボタン５６に地上デジタル放送で選局した局のサブ番組を受信するようにキーコードを変更し、地上デジタルサービス切替ボタン５６ｂとしてもよい。
【００２５】
また、機能変更例３のように地上アナログ放送サービス切替ボタン５６にＣＳ１／２放送サービス切替ボタン５９の機能をＣＳ１、ＣＳ２に分け、ＣＳ１放送サービス切替ボタンを５６ｃ、ＣＳ２放送サービス切替ボタンを５９ｃとしてもよい。ＣＳ１、ＣＳ２の機能を地上アナログ放送サービス切替ボタン５６、ＣＳ１／２放送サービス切替ボタンのどちらに割り当ててもよい。ＣＳ１／２放送サービス切替ボタン５９はユーザーがボタンを押す毎にＣＳ１、ＣＳ２の放送サービスが切替可能なようにボタンに機能が割り当てられていることは一般的なテレビジョン放送受信装置の機能である。
【００２６】
また、機能変更例４のように地上アナログ放送サービス切替ボタン５６に、放送サービス切替機能以外の機能を割り当て、機能切替ボタン５６ｄのようにしてもよい。例えば機能切替ボタン５６ｄに字幕表示切替機能を割り当てることが可能である。
【００２７】
制御部１３は、ＲＡＭ１８、システムソフト格納部１９とデータ読み出し・書き込み可能に接続されている。ＲＡＭ１８は、制御部１３を動作させるのに必要なシステムソフトウェアを展開・実行するプログラムを格納したＲＡＭ（Ｒａｎｄｏｍ  Ａｃｃｅｓｓ  Ｍｅｍｏｒｙ）、システムソフト格納部１９はシステムソフトウェアを記憶するシステムソフト記憶領域である。
【００２８】
さらに制御部１３は、入力部２０、ＰＯＲＴ２１と接続されている。入力部２０は、ユーザーからの操作を受け付けるためのインターフェースである。リモコン１１やキーボード等の入力装置から入力されたユーザーの操作は入力部２０により電気信号化され、制御部１３に入力される。ＰＯＲＴ２１は、ユーザーからの操作以外の外部からの操作を受け付けるためのインターフェースである。例えば、ＳＤカードスロット、ＲＳ−２３２Ｃ、イーサーネット（登録商標）、モデムなどが考えられ、ＰＯＲＴ２１により電気信号化され、制御部１３に入力される。
【００２９】
切替部１６は、地上デジタル放送受信部２、地上アナログ放送受信部７、ＢＳ放送受信部（図示せず）、ＣＳ１／２放送受信部（図示せず）からの映像信号と音声信号を入力し、ユーザーが所望する放送サービスへの切替を行い、映像信号と音声信号を出力する。
【００３０】
表示部１７は、切替部１６から映像信号と音声信号を入力し、モニター（図示せず）に映像を出力し、スピーカー（図示せず）に音声を出力する。
【００３１】
なお、地上アナログ放送サービス切替ボタン５６の機能切替は、自動的に一意の機能に切り替えてもよいし、ユーザーに切替の有無、変更後の機能を選択してもらうように表示部１７にＯＳＤ（Ｏｎ  Ｓｃｒｅｅｎ  Ｄｉｓｐｌａｙ）表示させてもよい。また機能切替したボタンに関して、後日ユーザーが任意に入力部２０を用いて新たに機能変更してもよいし、ＰＯＲＴ２１を用いて新たに機能変更してもよい。
【００３２】
また、一度、停波判定部１４によって停波状態が確認され、地上アナログ放送サービス切替ボタン５６の機能を変更した後は、停波判定部１４の判定を常に停波状態として扱ってもよい。
【００３３】
図３は、本発明の実施の形態１に係るテレビジョン受信装置１の動作を示すフローチャートである。受信部９によって地上アナログアンテナ入力部８からアナログ放送を受信する。制御部１３はユーザーがリモコン１１を用いて選択した番組を選局するように受信部９を制御する（ステップＳ１）。
【００３４】
ステップＳ１でユーザーによって選択された番組の復調が復調部１０で行われる。電界強度検出部１２は復調部１０で検出されたユーザーが所望する番組の電界強度を把握する。そして、所定のレベルとの比較を行う。比較した結果に応じ処理がステップＳ３とステップＳ４に分かれる（ステップＳ２）。
【００３５】
停波判定部１４は、比較された結果を認識し、電界強度が所定のレベルよりも低かった場合（ステップ２で「Ｎｏ」）、デコーダ６からの日時情報を取得し、地上アナログ放送停波予定日と比較を行なう。比較した結果に応じ処理ステップＳ５とステップＳ６に分かれる（ステップＳ４）。
【００３６】
停波判定部１４によって電解強度が所定レベルより高かった場合は（ステップ２で「Ｙｅｓ」）、地上アナログ放送が持続していると判断し、キーコード切替部１５による地上アナログ放送サービス切替ボタン５６のキーコード切替を行なわない（ステップＳ３）。
【００３７】
停波判定部１４によって電解強度が所定レベルより低く、かつユーザーが視聴している日時が、地上アナログ放送停波予定日以降だった場合は（ステップ４で「Ｙｅｓ」）、地上アナログ放送が停波していると判断し、キーコード切替部１５による地上アナログ放送サービス切替ボタン５６のキーコード切替を行なう（ステップＳ５）。
【００３８】
停波判定部１４によって電解強度が所定レベルより低いが、ユーザーが視聴している日時が、地上アナログ放送停波予定日以前だった場合は（ステップ４で「Ｎｏ」）、地上アナログ放送が持続していると判断し、キーコード切替部１５による地上アナログ放送サービス切替ボタン５６のキーコード切替を行なわない（ステップＳ６）。
【００３９】
以上、説明したように、本発明のテレビジョン放送受信装置１は、地上アナログ放送停波後に地上アナログ放送選局状態に陥ることを防ぐだけでなく、地上アナログ用の操作キーに別機能を持たせることで有効に操作キー活用ができる。例えば、地上デジタル選局キーに割り当てることで、未選局を回避でき、地上デジタル放送のサブ番組用に割り当てれば新しい操作キーとして使用可能とすることができる。
【産業上の利用可能性】
【００４０】
本発明にかかるテレビジョン受信装置は、地上アナログ放送停波後に地上アナログ放送選局状態に陥ることを防ぐだけでなく、地上アナログ用の操作キーに別機能を持たせることで有効に操作キー活用ができる。例えば、地上デジタル選局キーに割り当てることで、未選局を回避でき、地上デジタル放送のサブ番組用に割り当てれば新しい操作キーとして使用可能となる効果を有し、テレビジョン受信機、セットトップボックス、などとして有用である。
【図面の簡単な説明】
【００４１】
【図１】本発明の実施の形態１に係るテレビジョン受信装置の構成を示すブロック図
【図２】同実施の形態のテレビジョン受信装置のリモコンキーコード切替例を示す図
【図３】同実施の形態のテレビジョン受信装置の動作を示すフローチャート
【符号の説明】
【００４２】
１    テレビジョン受信装置
２    地上デジタル放送受信部
３    地上デジタルアンテナ入力部
４、９    受信部
５、１０    復調部
６    デコーダ
７    地上アナログ放送受信部
８    地上アナログアンテナ入力部
１１    リモコン
１２    電解強度検出部
１３    制御部
１４    停波判定部
１５    キーコード切替部
１６    切替部
１７    表示部
１８    ＲＡＭ
１９    システムソフト格納部
２０    入力部
２１    ＰＯＲＴ
５１    電源ＯＮ／ＯＦＦボタン
５２    テレビジョン操作ボタン群
５３    選局割り当てボタン
５４    選局ＵＰ／ＤＯＷＮボタン
５５    音量ＵＰ／ＤＯＷＮボタン
５６    地上アナログ放送サービス切替ボタン
５７    地上デジタル放送サービス切替ボタン
５８    ＢＳデジタル放送サービス切替ボタン
５９    ＣＳ１／２放送サービス切替ボタン
【図１】
2008301380.tif 000003
【図２】
2008301380.tif 000004
【図３】
2008301380.tif 000005